(57)【要約】      （修正有）【課題】  感光体ドラムを傷つけることなくジャム処理操作を容易に行える鉛直搬送式の画像形成装置を提供する。【解決手段】  複写機本体２の側面に設けられたカバー２０には、転写ローラ１３、転写前ガイド部材２２ａ、２２ｂ、ガイド部材２２ｃ、２２ｅ、及びレジストローラ対１１が支持されており、紙詰まりや搬送不良等のジャムが発生した場合、カバー２０を開放することにより、感光体ドラム５側に位置する転写前ガイド部材２２ｂがカバー２０と共に移動するため、転写前ガイド部材２２ａ、２２ｂ間に保持された用紙２３も感光体ドラム５の表面に密着した位置から移動し、感光体ドラム５との間に隙間を形成する。これにより、用紙２３を取り除く際に手指が感光体ドラム５表面に接触するおそれがなくなり、感光体ドラム５の傷付きを確実に防ぐことができる。【選択図】    図３
2006091599.tif 000002
【特許請求の範囲】
【請求項１】
回転移動する無端状の表面にトナー像を担持する像担持体と、該像担持体の側方に設けられ前記像担持体上に担持されたトナー像を用紙上に転写する転写ローラと、を有する画像形成部と、
該画像形成部の上方に設けられ、前記画像形成部により用紙上に形成されたトナー像を定着する定着部と、
前記像担持体側及び前記転写ローラ側に配置された複数のガイド部材から構成され、前記画像形成部の下方に設けられた給紙部より用紙を前記画像形成部及び前記定着部に順次搬送する用紙搬送路と、
前記画像形成部の上流側の前記用紙搬送路内に設けられ、前記画像形成部への用紙搬送タイミングを制御するレジストローラ対と、
前記転写ローラ及び前記転写ローラ側に配置された前記ガイド部材を支持する開閉自在なカバーと、を備え、
前記カバーが閉塞位置にあるとき、前記転写ローラを前記像担持体表面に当接させるとともに前記ガイド部材により前記用紙搬送路を形成し、前記カバーが開放位置にあるとき、前記転写ローラを前記像担持体表面から離間させるとともに前記用紙搬送路を縦方向に分割して開放する鉛直搬送式の画像形成装置において、
前記レジストローラ対から前記画像形成部までの前記像担持体側に位置する前記ガイド部材が前記カバー側に支持されることを特徴とする画像形成装置。
【請求項２】
前記レジストローラ対から前記画像形成部までの前記像担持体側に位置する前記ガイド部材を、用紙搬送方向上流側を支点として回動可能としたことを特徴とする請求項１に記載の画像形成装置。
【請求項３】
前記定着部は、所定の温度及び圧力が印加される定着ローラ対を備え、前記カバーが開放位置にあるとき、前記定着ローラ対に印加された圧力が解除されることを特徴とする請求項１又は請求項２に記載の画像形成装置。
【請求項４】
前記定着ローラ対は、前記像担持体側に位置する第１ローラと、前記カバー側に位置するとともに前記第１ローラに対して移動可能に設けられた第２ローラとから成り、前記カバーが閉塞位置にあるとき、前記第２ローラは前記カバーに対向する位置に設けられた弾性部材を介して前記第１ローラに圧接されており、前記カバーが開放位置に移動することにより、前記カバーにより前記弾性部材を介して前記第２ローラに印加された圧力が解除されることを特徴とする請求項３に記載の画像形成装置。
【請求項５】
前記レジストローラ対のうち、前記転写ローラ側に位置するレジストローラのみが前記カバー側に支持されることを特徴とする請求項１〜請求項４のいずれかに記載の画像形成装置。
【発明の詳細な説明】
【技術分野】
【０００１】
本発明は、複写機、プリンタ等の画像形成装置に関し、特に用紙を下方から上方へ搬送する方式の画像形成装置のジャム処理機構に関する。
【背景技術】
【０００２】
従来、複写機、プリンタ等の電子写真方式を用いた画像形成装置においては、装置下部に給紙装置、装置上部に排紙部を配置し、給紙装置と排紙部との間に画像形成部を設け、装置の下方から上方へ用紙を搬送する、いわゆる鉛直搬送式が広く用いられている。この方式では、反転機構を備え、用紙を水平方向に搬送する方式の画像形成装置に比べて用紙搬送経路が非常に短くなり、給紙から排紙までの時間を短縮できるとともに、紙詰まり等のジャムが発生した場合に処理が容易であるというメリットがある。
【０００３】
鉛直搬送式の画像形成装置の概略構成を図８に示す。図８において、１は画像形成装置であり、ここでは一例としてデジタル複合機を示している。画像形成装置１では、コピー動作を行う場合、複合機本体２内の画像形成部３において、帯電ユニット４により図中のＡ方向に回転する感光体ドラム５（像担持体）が一様に帯電され、図示しない画像読取部で読み取られた原稿画像データに基づく露光ユニット（レーザ走査ユニット等）６からのレーザビームにより感光体ドラム５上に静電潜像が形成され、現像ユニット７により静電潜像に現像剤（以下、トナーという）が付着されてトナー像が形成される。この現像ユニット７へのトナーの供給はトナーコンテナ８から行われる。
【０００４】
上記のようにトナー像が形成された感光体ドラム５に向けて、用紙が給紙カセット９から給紙ローラ１０、レジストローラ対１１及び用紙搬送路１２を経由して画像形成部３に搬送され、この画像形成部３において転写ローラ１３（画像転写部）により感光体ドラム５の表面におけるトナー像が用紙に転写される。そして、トナー像が転写された用紙は感光体ドラム５から分離され、定着ローラ対１４ａ、１４ｂを有する定着部１４に搬送されてトナー像が定着される。定着ローラ対１４ａ、１４ｂにはトナー像を定着するための所定の温度及び圧力が印加されており、定着部１４を通過した用紙は、用紙搬送路１５を経由して排出ローラ対１６より用紙排出トレイ１７上に排出される。
【０００５】
また、図示しないが、感光体ドラム５の表面の残留電荷を除去する除電装置及びクリーニング装置が感光体ドラム５の近傍に設けられている。さらに、給紙カセット９は複合機本体２に着脱自在に取り付けられ、用紙搬送路１２によって感光体ドラム５及び現像ユニット７等からなる画像形成部３に繋がっている。２０は、複合機本体２の側面に設けられたカバーであり、支点２１を中心として矢印Ｂ方向に開閉自在に構成されている。このカバー２０を開放してジャムした用紙の除去等の簡単なメンテナンスを行う。
【０００６】
このような画像形成装置において、装置側面に設けられたカバー２０を開放してジャム処理を行う場合、転写ローラ１３を感光体ドラム５に密着させたままジャム処理を行うと、ジャムした用紙の除去が困難である上、感光体ドラム５の表面を損傷するおそれがあった。
【０００７】
そこで、感光体ドラムを傷つけることなく容易にジャム処理を行う方法が提案されており、例えば特許文献１には、図９に示すように、画像形成部周辺の用紙搬送路を用紙搬送方向に沿って分割可能に構成し、ジャムした用紙の除去を容易にした画像形成装置が開示されている。なお、図８と共通する部分には同一の符号を付して説明を省略する。
【０００８】
図９において、１１ａ、１１ｂはレジストローラ対１１（図８参照）を構成するレジストローラ、２２ａ、２２ｂは、画像形成部３（図８参照）よりも上流側の用紙搬送路１２（図８参照）を構成する転写前ガイド部材、２２ｃ、２２ｄ、２２ｅ、２２ｆは、画像形成部３よりも下流側の用紙搬送路１５（図８参照）を構成するガイド部材である。レジストローラ１１ａ、転写前ガイド部材２２ａ、及びガイド部材２２ｃ、２２ｅ、及び転写ローラ１３はカバー２０側に設けられており、カバー２０を開放することにより、用紙搬送路１２、１５を用紙搬送方向に沿って縦方向に分割して用紙２３の裏面を外部に露出させ、ジャムした用紙２３の除去を容易にする。
【０００９】
また、特許文献２には、用紙の両面に画像を形成するための両面ユニットを側面カバー内に備えた鉛直搬送式の画像形成装置において、側面カバーの開放に伴い、両面ユニットへ用紙を案内する中継コロ及びガイド板が移動して用紙搬送路を開放することにより、排紙部のジャム処理を容易にした画像形成装置が開示されている。
【００１０】
しかしながら、特許文献１の方法では、ユーザはジャム処理を行う際、用紙２３を手作業で矢印Ａ方向に引っ張って除去する必要があるが、用紙２３はカバー２０を開放しても感光体ドラム５に密着した状態となっているため作業が繁雑となり、用紙２３に付着したトナーにより手指が汚れる上、ジャム処理時に感光体ドラム５表面を傷つけてしまうという問題点があった。また、両面ユニットを側面カバー内に備えた特許文献２の画像形成装置においても事情は同じであった。
【特許文献１】特開２０００−３３０３５２号公報
【特許文献２】特開平９−２９７４４０号公報
【発明の開示】
【発明が解決しようとする課題】
【００１１】
本発明は、上記問題点に鑑み、感光体ドラムを傷つけることなくジャム処理操作を容易に行える鉛直搬送式の画像形成装置を提供することを目的とする。
【課題を解決するための手段】
【００１２】
上記目的を達成するために本発明は、回転移動する無端状の表面にトナー像を担持する像担持体と、該像担持体の側方に設けられ前記像担持体上に担持されたトナー像を用紙上に転写する転写ローラと、を有する画像形成部と、該画像形成部の上方に設けられ、前記画像形成部により用紙上に形成されたトナー像を定着する定着部と、前記像担持体側及び前記転写ローラ側に配置された複数のガイド部材から構成され、前記画像形成部の下方に設けられた給紙部より用紙を前記画像形成部及び前記定着部に順次搬送する用紙搬送路と、前記画像形成部の上流側の前記用紙搬送路内に設けられ、前記画像形成部への用紙搬送タイミングを制御するレジストローラ対と、前記転写ローラ及び前記転写ローラ側に配置された前記ガイド部材を支持する開閉自在なカバーと、を備え、前記カバーが閉塞位置にあるとき、前記転写ローラを前記像担持体表面に当接させるとともに前記ガイド部材により前記用紙搬送路を形成し、前記カバーが開放位置にあるとき、前記転写ローラを前記像担持体表面から離間させるとともに前記用紙搬送路を縦方向に分割して開放する鉛直搬送式の画像形成装置において、前記レジストローラ対から前記画像形成部までの前記像担持体側に位置する前記ガイド部材が前記カバー側に支持されることを特徴としている。
【００１３】
また本発明は、上記構成の画像形成装置において、前記レジストローラ対から前記画像形成部までの前記像担持体側に位置する前記ガイド部材を、用紙搬送方向上流側を支点として回動可能としたことを特徴としている。
【００１４】
また本発明は、上記構成の画像形成装置において、前記定着部は、所定の温度及び圧力が印加される定着ローラ対を備え、前記カバーが開放位置にあるとき、前記定着ローラ対に印加された圧力が解除されることを特徴としている。
【００１５】
また本発明は、上記構成の画像形成装置において、前記定着ローラ対は、前記像担持体側に位置する第１ローラと、前記カバー側に位置するとともに前記第１ローラに対して移動可能に設けられた第２ローラとから成り、前記カバーが閉塞位置にあるとき、前記第２ローラは前記カバーに対向する位置に設けられた弾性部材を介して前記第１ローラに圧接されており、前記カバーが開放位置に移動することにより、前記カバーにより前記弾性部材を介して前記第２ローラに印加された圧力が解除されることを特徴としている。
【００１６】
また本発明は、上記構成の画像形成装置において、前記レジストローラ対のうち、前記転写ローラ側に位置するレジストローラのみが前記カバー側に支持されることを特徴としている。
【発明の効果】
【００１７】
本発明の第１の構成によれば、転写ローラ、及び用紙搬送路を構成する転写ローラ側のガイド部材を支持する開閉可能なカバーを備えた鉛直搬送式の画像形成装置において、レジストローラ対から画像形成部までの像担持体側に位置するガイド部材をカバー側に支持することにより、ジャムした用紙をカバーの開放によって像担持体から遠ざけることができ、ジャム処理が容易になるとともに像担持体表面を傷つけるおそれもなくなる。
【００１８】
また、本発明の第２の構成によれば、上記第１の構成の画像形成装置において、レジストローラ対から画像形成部までの像担持体側に位置するガイド部材を、用紙搬送方向上流側を支点として回動可能とすることにより、ガイド部材の内側に隠れた用紙を露出させてより簡単に取り出すことができる。
【００１９】
また、本発明の第３の構成によれば、上記第１又は第２の構成の画像形成装置において、カバーが開放位置にあるとき、定着部を構成する定着ローラ対に印加された圧力が解除されることにより、画像形成部から定着部に跨って用紙がジャムした場合にも用紙の取り出しが容易となる。
【００２０】
また、本発明の第４の構成によれば、上記第３の構成の画像形成装置において、カバーが閉塞位置にあるとき、カバー側に位置する第２ローラは弾性部材を介して像担持体側に位置する第１ローラに圧接されており、カバーを開放位置に移動することにより、弾性部材を介して第２ローラに印加された圧力が解除されることにより、簡便な構成で定着ローラ対に印加された圧力の解除が可能となる。
【００２１】
また、本発明の第５の構成によれば、上記第１乃至第４の構成の画像形成装置において、レジストローラ対のうち、転写ローラ側に位置するレジストローラのみをカバー側に支持することにより、レジストローラ対から定着部に跨って用紙がジャムした場合にも用紙を容易に取り出すことができ、ジャム処理作業を一層迅速に行うことができる。
【発明を実施するための最良の形態】
【００２２】
以下に本発明の実施形態を図面を参照して説明する。図１は、本発明の第１実施形態に係る画像形成装置の構成を示す部分断面図である。従来例の図８、図９と共通する部分には同一の符号を付して説明を省略する。図１において、感光体ドラム５とレジストローラ１１ｂとの間の転写前ガイド部材２２ｂは、側板２４を介して転写ローラ１３とレジストローラ１１ａとの間の転写前ガイド部材２２ａと一体に構成されている。
【００２３】
図２は、第１実施形態に係る画像形成装置のレジストローラ付近を図１の矢印Ａ方向から見た図である。ここでは説明の便宜のため、感光体ドラム５及びレジストローラ１１ｂは記載を省略している。転写前ガイド部材２２ｂは、左右２本ずつ、計４本のビス２５により転写前ガイド部材２２ａに固定されている。転写前ガイド部材２２ａはカバー２０に支持されているため、転写前ガイド部材２２ａと一体構成された転写前ガイド部材２２ｂもカバー２０側に支持されることとなる。２３は、給紙カセット９から画像形成部３（いずれも図８参照）へ搬送される用紙であり、転写前ガイド部材２２ａ、２２ｂにより形成される空間（図８の用紙搬送路１２）を下方から上方へと通過する。
【００２４】
転写前ガイド部材２２ｂの転写前ガイド部材２２ａへの固定方法はビス固定に限られるものではなく、接着剤や固定用テープ等の従来公知の固定方法を用いることができる。また、予め転写前ガイド部材２２ａ及び２２ｂを一体形成しておくことも可能である。さらに、転写前ガイド部材２２ｂをカバー２０に直接固定する構成としてもよい。
【００２５】
本実施形態の画像形成装置におけるジャム処理方法について図３を参照しながら説明する。紙詰まりや搬送不良等のジャムが発生した場合、ユーザは図３のように複写機本体２の側面に設けられたカバー２０を開放する。カバー２０には転写ローラ１３、転写前ガイド部材２２ａ、２２ｂ、ガイド部材２２ｃ、２２ｅ、及びレジストローラ対１１が支持されており、転写ローラ１３を感光体ドラム５の表面から離間させるとともに用紙搬送路１２、１５（図８参照）を縦方向に分割して開放する。
【００２６】
このとき、感光体ドラム５側に位置するガイド部材２２ｂがカバー２０と共に移動するため、転写前ガイド部材２２ａ、２２ｂ間に保持された用紙２３も感光体ドラム５の表面に密着した位置（図の破線位置）から矢印方向に移動し、感光体ドラム５との間に隙間を形成する。これにより、ユーザはジャムした用紙２３の左右両端を把持して容易に取り除くことができる。
【００２７】
また、用紙２３は感光体ドラム５表面から遠ざけられるため、用紙２３を取り除く際に手指が感光体ドラム５表面に接触するおそれがなくなり、感光体ドラム５の傷付きを確実に防ぐことができる。そして用紙２３を取り除いた後、カバー２０を再び閉塞状態（図１の状態）へ移動させてジャム処理を終了する。なお、ここでは、レジストローラ対１１はカバー２０に支持されているが、レジストローラ対１１を複写機本体２側に支持する構成としても良い。
【００２８】
図４は、本発明の第２実施形態に係る画像形成装置の構成を示す部分断面図である。図３と共通する部分には同一の符号を付して説明を省略する。本実施形態においては、感光体ドラム５側に位置する転写前ガイド部材２２ｂが、搬送方向上流側の支点２６を中心に矢印方向に回動可能に支持されている。
【００２９】
この構成とすることにより、ユーザはジャム処理を行う際、カバー２０を開放して用紙２３を感光体ドラム５から遠ざけるとともに、転写前ガイド部材２２ｂを回動させて転写前ガイド部材２２ｂの内側に隠れた用紙２３を露出させることができ、さらに転写前ガイド部材２２ｂの回動により用紙２３に弛みが生じるため、用紙２３の左右両端を把持し易くなり、トナーにより手指を汚すことなく簡単に用紙２３を取り除くことができる。
【００３０】
図５は、本発明の第３実施形態に係る画像形成装置の構成を示す部分断面図である。図１と共通する部分には同一の符号を付して説明を省略する。本実施形態においては、定着部１４内に配置された定着ローラ対１４ａ、１４ｂに印加された圧力を、カバー２０の開閉に応じて切り換え可能に構成されている。
【００３１】
本実施形態の画像形成装置に用いられる定着部１４の構成を、図６を用いて詳細に説明する。定着部１４には、感光体ドラム５（図５参照）側に位置する定着ローラ（以下、第１ローラという）１４ａと、カバー２０（図５参照）側に位置する定着ローラ（以下、第２ローラという）１４ｂが配置されており、第２ローラ１４ｂは、第１ローラ１４ａに対して水平方向（図の矢印方向）に移動可能となっている。第２ローラ１４ｂの軸受け部２７には、圧縮バネ２８が固定されており、圧縮バネ２８の反対側の端部にはカバー２０（図５参照）に当接する押圧部材２９が取り付けられている。
【００３２】
カバー２０が閉塞状態（図５の状態）にあるとき、押圧部材２９はカバー２０により左方向への移動を制限されるため、軸受け部２７には圧縮バネ２８の付勢力により右方向の力が作用する。即ち、第２ローラ１４ｂは第１ローラ１４ａに所定の圧力で圧接される。一方、カバー２０を開放すると押圧部材２９は左方向へ移動可能となるため、軸受け部２７に作用していた圧縮バネ２８の付勢力はなくなり、第１ローラ１４ａ及び第２ローラ１４ｂ間に印加されていた圧力が解除される。
【００３３】
本実施形態の画像形成装置におけるジャム処理方法について図７を参照しながら説明する。紙詰まりや搬送不良等のジャムが発生した場合、ユーザは複写機本体２の側面に設けられたカバー２０を開放することにより、図３と同様に、転写ローラ１３を感光体ドラム５の表面から離間させるとともに用紙搬送路１２、１５（図８参照）を縦方向に分割して開放する。転写前ガイド部材２２ｂはカバー２０側に支持されているため、転写前ガイド部材２２ａ、２２ｂ間に保持された用紙２３もカバー２０と共に移動し、感光体ドラム５との間に隙間を形成する。
【００３４】
また、前述したように、カバー２０の開放により第１ローラ１４ａ及び第２ローラ１４ｂ間に印加されていた圧力が解除されるため、定着部１４まで跨って用紙２３がジャムした場合でも用紙２３を容易且つ迅速に引き出すことができ、用紙２３が破れて定着部１４に残存するおそれもなくなる。さらに、図７に示すように、本実施形態においては、レジストローラ対１１のうち、転写ローラ１３側に位置するレジストローラ１１ａをカバー２０側に支持し、感光体ドラム５側に位置するレジストローラ１１ｂを複写機本体２側に設けている。
【００３５】
これにより、カバー２０の開放に伴いレジストローラ１１ａ、１１ｂが離間するため、サイズの大きい用紙２３がレジストローラ対１１から感光体ドラム５、転写ローラ１３を経て定着部１４に至るまで、広範囲に渉りジャムした場合であっても、ジャム処理の際に用紙２３が破れてレジストローラ対１１に残存するおそれもなくなる。
【００３６】
なお、第１ローラ１４ａ及び第２ローラ１４ｂ間に印加される圧力を切り換える手段としては、圧縮バネ２８及び押圧部材２９を用いた上記の構成に限られるものではなく、例えばカバー２０の開閉を検知する検知センサを装着し、第１ローラ１４ａ又は第２ローラ１４ｂにソレノイドを接続しておき、検知センサの検知結果に応じてソレノイドを作動させて第１ローラ１４ａと第２ローラ１４ｂとを圧接若しくは離間させる構成とすることもできる。しかし、簡易且つ低コストで定着ローラ対に印加される圧力を制御可能な本実施形態の構成とすることがより好ましい。
【００３７】
また、本実施形態においても、第２実施形態と同様に転写前ガイド部材２２ｂを回動可能に設けることにより、転写前ガイド部材２２ｂの内側に隠れた用紙２３を露出させるとともに用紙２３に弛みが生じるため、用紙２３の左右両端を把持し易くなり、トナーにより手指を汚すことなく簡単に用紙２３を取り除くことが可能となるためより好ましい。
【００３８】
その他本発明は上記実施形態に限定されず、本発明の趣旨を逸脱しない範囲で種々の変更が可能である。例えば、第１、第２実施形態においても、第３実施形態と同様に転写ローラ１３側に位置するレジストローラ１１ａのみをカバー２０に設けても良い。また、ここでは画像形成装置として片面印刷式のデジタル複合機についてのみ示したが、本発明はカバー２０内に両面印刷用の両面ユニットを搭載した画像形成装置や、各色のトナー像を中間転写ベルト上に順次積層してカラー画像を形成した後、転写紙上に一度に転写する方式のカラー画像形成装置においても適用可能であり、アナログ方式の複写機や、ファクシミリ、レーザプリンタ等、他の鉛直搬送式の画像形成装置にも適用できるのはもちろんである。
【産業上の利用可能性】
【００３９】
本発明は、回転移動する無端状の表面にトナー像を担持する像担持体と、該像担持体の側方に設けられ像担持体上に担持されたトナー像を用紙上に転写する転写ローラと、を有する画像形成部と、該画像形成部の上方に設けられ、画像形成部により用紙上に形成されたトナー像を定着する定着部と、像担持体側及び転写ローラ側に配置された複数のガイド部材から構成され、画像形成部の下方に設けられた給紙部より用紙を画像形成部及び定着部に順次搬送する用紙搬送路と、画像形成部の上流側の用紙搬送路内に設けられ、画像形成部への用紙搬送タイミングを制御するレジストローラ対と、転写ローラ及び転写ローラ側に配置されたガイド部材を支持する開閉自在なカバーと、を備え、カバーが閉塞位置にあるとき、転写ローラを像担持体表面に当接させるとともにガイド部材により用紙搬送路を形成し、カバーが開放位置にあるとき、転写ローラを像担持体表面から離間させるとともに用紙搬送路を縦方向に分割して開放する鉛直搬送式の画像形成装置において、レジストローラ対から画像形成部までの像担持体側に位置するガイド部材がカバー側に支持されることとする。
【００４０】
これにより、ジャムした用紙をカバーの開放によって像担持体表面から遠ざけることができ、容易且つ迅速なジャム処理が可能になるとともに、手指により像担持体表面を傷つけるおそれのない画像形成装置を提供する。
【００４１】
また、レジストローラ対から画像形成部までの像担持体側に位置するガイド部材を、用紙搬送方向上流側を支点として回動可能としたので、ガイド部材の内側に隠れた用紙を露出させ、さらに用紙に弛みをもたせることで用紙の把持が容易となり、より簡単に用紙を除去することができる。
【００４２】
また、カバーが開放位置にあるとき、定着部を構成する定着ローラ対に印加された圧力が解除されるので、画像形成部から定着部に跨って用紙がジャムした場合にも用紙の取り出しが容易となる。さらに、カバーが閉塞位置にあるとき、カバー側に位置する第２ローラは弾性部材を介して像担持体側に位置する第１ローラに圧接されており、カバーを開放位置に移動することにより、弾性部材を介して第２ローラに印加された圧力が解除されることとすれば、簡便な構成で定着ローラ対に印加された圧力の解除が可能となる。
【００４３】
また、レジストローラ対のうち、転写ローラ側に位置するレジストローラのみをカバー側に支持したことにより、大サイズの用紙がレジストローラ対から定着部に跨ってジャムした場合にも用紙を破ることなく容易に取り出すことができ、ジャム処理作業を一層迅速に行うことができる操作性に優れた画像形成装置とすることができる。
【図面の簡単な説明】
【００４４】
【図１】は、本発明の第１実施形態に係る画像形成装置の構成を示す部分断面図である。
【図２】は、第１実施形態の画像形成装置のレジストローラ付近を示す拡大図である。
【図３】は、第１実施形態に係る画像形成装置のカバーを開放した状態を示す部分断面図である。
【図４】は、本発明の第２実施形態に係る画像形成装置のカバーを開放した状態を示す部分断面図である。
【図５】は、本発明の第３実施形態に係る画像形成装置の構成を示す部分断面図である。
【図６】は、第３実施形態の画像形成装置に用いられる定着部の構成を示す概略図である。
【図７】は、第３実施形態に係る画像形成装置のカバーを開放した状態を示す部分断面図である。
【図８】は、従来の鉛直搬送式の画像形成装置の全体構成を示す概略図である。
【図９】は、従来の鉛直搬送式の画像形成装置の構成を示す部分断面図である。
【符号の説明】
【００４５】
１      画像形成装置
２      複写機本体
３      画像形成部
４      帯電ユニット
５      感光体ドラム（像担時体）
６      露光ユニット
７      現像ユニット
８      トナーコンテナ
９      給紙カセット（給紙部）
１１    レジストローラ対
１１ａ、１１ｂ    レジストローラ
１２、１５    用紙搬送路
１３    転写ローラ
１４    定着部
１４ａ  定着ローラ（第１ローラ）
１４ｂ  定着ローラ（第２ローラ）
２０    カバー
２２ａ、２２ｂ    転写前ガイド部材
２２ｃ、２２ｄ、２２ｅ、２２ｆ    ガイド部材
２３    用紙
２７    軸受け部
２８    圧縮バネ（弾性部材）
２９    押圧部材
【図１】
2006091599.tif 000003
【図２】
2006091599.tif 000004
【図３】
2006091599.tif 000005
【図４】
2006091599.tif 000006
【図５】
2006091599.tif 000007
【図６】
2006091599.tif 000008
【図７】
2006091599.tif 000009
【図８】
2006091599.tif 000010
【図９】
2006091599.tif 000011